(57)【特許請求の範囲】
【請求項１】
画像を被投写面上に拡大投写する際に、前記光変調素子の画像の横縦比と、前記被投写面に投写される画像の横縦比とを異なるものとする投写光学系であって、
光束の通過を制限する絞りと、
前記光変調素子から前記絞りまでの間に配置され、前記光変調素子の縦方向と横方向とで異なるパワーを持つとともに光路上に進退可能な調整光学要素群と、１枚以上の回転対称レンズからなり前記光変調素子の縦方向と横方向とで同一のパワーを持つとともに光路上に進退可能な回転対称レンズ群と、を含む光変調素子側レンズ群とを有し、
前記光変調素子側レンズ群において、前記調整光学要素群と前記回転対称レンズ群とは、いずれか一方が光路上に配置されている時に、他方が光路上から退避されることにより、前記調整光学要素群が光路上にある状態と前記回転対称レンズ群が光路上にある状態とに切替可能であり、
前記調整光学要素群が光路上にある状態の前記光変調素子側レンズ群の横断面において、前記被投写面側の焦点と前記被投写面側の最端面との距離をＦＦＰｘとし、
前記調整光学要素群が光路上にある状態の前記光変調素子側レンズ群の縦断面において、前記被投写面側の焦点と前記被投写面側の最端面との距離をＦＦＰｙとし、
前記回転対称レンズ群が光路上にある状態の前記光変調素子側レンズ群において、前記被投写面側の焦点と前記被投写面側の最端面との距離をＦＦＰＬとし、
ＦＦＰｘ＜ＦＦＰｙのとき、ＦＦＰｘ＜ＦＦＰＬ＜ＦＦＰｙであり、
ＦＦＰｙ＜ＦＦＰｘのとき、ＦＦＰｙ＜ＦＦＰＬ＜ＦＦＰｘである、
投写光学系。
【請求項２】
前記調整光学要素群が光路上にある状態において、前記絞りと前記光変調素子側レンズ群の前記被投写面側の最端面との距離をｐとして、
ＦＦＰｘ＜ＦＦＰｙのとき、ＦＦＰｘ＜ｐ＜ＦＦＰｙであり、
ＦＦＰｙ＜ＦＦＰｘのとき、ＦＦＰｙ＜ｐ＜ＦＦＰｘである、請求項１に記載の投写光学系。
【請求項３】
前記絞りと前記光変調装置側レンズ群の前記被投写面側の最端面との距離ｐと、前記調整光学要素群が光路上から退避した状態の前記光変調装置側レンズ群における前記投写面側の焦点と前記被投写面側の最端面との距離ＦＦＰＬとは、略等しい、請求項２に記載の投写光学系。
【請求項４】
ＦＦＰｘ＜ＦＦＰｙのとき、ＦＦＰｘ＜ｐ≦（ＦＦＰｙ＋ＦＦＰｘ）／２であり、
ＦＦＰｙ＜ＦＦＰｘのとき、ＦＦＰｙ＜ｐ≦（ＦＦＰｙ＋ＦＦＰｘ）／２である、請求項２及び３のいずれか一項に記載の投写光学系。
【請求項５】
前記被投写面側から順に、拡大用の第１群と、光路上に択一的に配置される前記調整光学要素群と前記回転対称レンズ群とを含む第２群と、正のパワーを持つ第３群とからなる、請求項１から４までのいずれか一項に記載の投写光学系。
【請求項６】
前記被投写面側から順に、拡大用の第１群と、光路上に択一的に配置される前記調整光学要素群と前記回転対称レンズ群とを含む第２群とからなる、請求項１から４までのいずれか一項に記載の投写光学系。
【請求項７】
前記調整光学要素群は、前記光変調素子の縦方向の断面において、前記被投写面側から順に、正のパワーを持つ第１の光学要素群と、負のパワーを持つ第２の光学要素群とで構成されている、請求項１から６までのいずれか一項に記載の投写光学系。
【請求項８】
前記回転対称レンズ群は、前記調整光学要素群の各光学要素群に対応して、前記被投写面側から順に、正のパワーを持つ第１の光学要素群と、負のパワーを持つ第２の光学要素群とで構成されている、請求項７に記載の投写光学系。
【請求項９】
前記調整光学要素群は、前記光変調素子の横方向の断面において、前記被投写面側から順に、負のパワーを持つ第１の光学要素群と、正のパワーを持つ第２の光学要素群とで構成されている、請求項１から６までのいずれか一項に記載の投写光学系。
【請求項１０】
前記回転対称レンズ群は、前記調整光学要素群の各光学要素群に対応して、前記被投写面側から順に、負のパワーを持つ第１の光学要素群と、正のパワーを持つ第２の光学要素群とで構成されている、請求項９に記載の投写光学系。
【請求項１１】
前記回転対称レンズ群は、前記調整光学要素群が前記光変調素子の縦方向の断面において持つパワーと横方向の断面において持つパワーとの間のパワーを持つ、請求項７から１０までのいずれか一項に記載の投写光学系。
【請求項１２】
前記光変調素子側レンズ群の前記光変調素子側に、光合成用のプリズムが配置されている、請求項１から１１までのいずれか一項に記載の投写光学系。
【請求項１３】
請求項１から１２までのいずれか一項に記載の投写光学系と、
前記光変調素子とを備える、プロジェクター。
【発明の詳細な説明】
【技術分野】
【０００１】
本発明は、投写像のアスペクト比を切り替えることができる投写光学系及びこれを備えるプロジェクターに関する。
【背景技術】
【０００２】
プロジェクターの投写光学系に用いられるアスペクト比変換用のコンバーターとして、本来の投写光学系の前面位置すなわち像側正面に進退可能に配置されるフロント配置型のコンバーターが存在する。
【０００３】
しかしながら、この種のコンバーターは、プロジェクター本体から独立した外付けの光学部として設けられており、プロジェクターを大型化させるとともに、コンバーターを含めた全投写光学系の調整を複雑にし、或いは画像を著しく劣化させる。
【０００４】
なお、プロジェクターの投写光学系ではなく、カメラ等の撮像光学系に使用されるアスペクト比変換用のコンバーターとして、結像光学系の像側に着脱可能に配置されるリア配置型のリレー系が存在する（特許文献１、２参照）。このリレー系は、第１群と第２群と第３群とからなり、これらのうち中央の第２群は、アナモフィックコンバーターであり、第１群と第３群との間に挿脱可能になっている。
【０００５】
しかしながら、特許文献１等に開示されたリレー系又はアナモフィックコンバーターは、撮像光学系に用いるものであり、これを投写光学系にそのまま用いると、種々の制約が生じる。
【０００６】
例えば、上記のようなリア配置型のリレー系の場合、テレセントリック性について考慮されていない。かかるリレー系では、原理的に、横断面でのテレセントリック性と縦断面でのテレセントリック性とを両立することができない。そのため、Ｘ断面又はＹ断面のいずれか一方でテレセントリック性を厳密に確保すると他方でテレセントリック性が大きく崩れてしまい、光の利用効率が低下し或いは方向によって偏ったものとなる。
【０００７】
また、特許文献１等に記載の撮像光学系では、レンズ交換できることが基本的前提となっており、リア配置型のリレー系を使用しない場合、結像光学系は、撮像部に直接固定されて単独で使用される。そのため、結像光学系の性能を維持しようとすると、リア配置型のリレー系が長くなってしまう。一方、投写光学系では、レンズ交換が一般的に行われないので、様々な交換レンズをマウント可能にする汎用リレー系又は汎用コンバーターとしての機能は不要となる。
【先行技術文献】
【特許文献】
【０００８】
【特許文献１】特開２００５−２２１５９７号公報
【特許文献２】特開２００５−３００９２８号公報
【発明の概要】
【０００９】
本発明は、光の利用効率をバランスよく高めた投写光学系及びこれを組み込んだプロジェクターを提供することを目的とする。
【００１０】
上記目的を達成するため、本発明に係る投写光学系は、画像を被投写面上に拡大投写する際に、光変調素子の画像の横縦比と、被投写面に投写される画像の横縦比とを異なるものとする投写光学系であって、光束の通過を制限する絞りと、光変調素子から絞りまでの間に配置され、光変調素子の縦方向と横方向とで異なるパワーを持つとともに光路上に進退可能な調整光学要素群と、１枚以上の回転対称レンズからなり前記光変調素子の縦方向と横方向とで同一のパワーを持つとともに光路上に進退可能な回転対称レンズ群と、を含む光変調素子側レンズ群とを有し、光変調素子側レンズ群において、調整光学要素群と回転対称レンズ群とは、いずれか一方が光路上に配置されている時に、他方が光路上から退避されることにより、調整光学要素群が光路上にある状態と回転対称レンズ群が光路上にある状態とに切替可能であり、調整光学要素群が光路上にある状態の光変調素子側レンズ群の横断面において、被投写面側の焦点と被投写面側の最端面との距離をＦＦＰｘとし、調整光学要素群が光路上にある状態の光変調素子側レンズ群の縦断面において、被投写面側の焦点と被投写面側の最端面との距離をＦＦＰｙとし、回転対称レンズ群が光路上にある状態の光変調素子側レンズ群において、被投写面側の焦点と被投写面側の最端面との距離をＦＦＰＬとし、
ＦＦＰｘ＜ＦＦＰｙのとき、ＦＦＰｘ＜ＦＦＰＬ＜ＦＦＰｙ      （１）
であり、
ＦＦＰｙ＜ＦＦＰｘのとき、ＦＦＰｙ＜ＦＦＰＬ＜ＦＦＰｘ      （１）'
である。
【００１１】
上記投写光学系によれば、調整光学要素群が光路上に進退可能であるとともに調整光学要素群に代えて回転対称レンズ群を挿入可能であり、調整光学要素群が光路上にあり横縦比を変換して投写する第１動作状態において、縦横方向に異なる焦点距離を持ち縦横方向の拡大倍率も異なるものとなり、光変調素子の画像の横縦比と被投写面上に投写される画像の横縦比とを異なるものにできる。つまり、本投写光学系により、幅と高さとの比であるアスペクト比の変換が可能になる。また、調整光学要素群に代えて回転対称レンズ群が光路上にあり横縦比を変換しないで投写する第２動作状態において、光変調素子の画像の横縦比と被投写面上に投写される画像の横縦比とを等しいものにできる。つまり、本投写光学系により、幅と高さとの比を変換することなくそのまま保つことも可能である。この際、調整光学要素群に代えて回転対称レンズ群を光路上に配置することで横縦比を変換せずに投写する第２動作状態において、距離ＦＦＰＬが、上記条件式（１）、（１）'を満たす、すなわち距離ＦＦＰｘと距離ＦＦＰｙとの間にあるので、第１動作状態において比較的高いテレセントリック性を保たせることができるだけでなく、第２動作状態においても比較的高いテレセントリック性を保たせることができる。
【００１２】
本発明の具体的な側面によれば、上記投写光学系について、調整光学要素群が光路上にある状態において、絞りと光変調素子側レンズ群の被投写面側の最端面との距離をｐとして、
ＦＦＰｘ＜ＦＦＰｙのとき、ＦＦＰｘ＜ｐ＜ＦＦＰｙ      （２）
であり、
ＦＦＰｙ＜ＦＦＰｘのとき、ＦＦＰｙ＜ｐ＜ＦＦＰｘ      （２）'
である。この場合、調整光学要素群が光路上にあり横縦比を変換して投写する第１動作状態での絞りと光変調素子側レンズ群の被投写面側の最端面との距離ｐが上記条件式（２）、（２）'を満たすので、縦方向と横方向との双方で一定以上のテレセントリック性を確保することができる。たとえば、ＦＦＰｘ＜ｐ＜ＦＦＰｙの場合、縦方向の主光線は被投写面に向けて内向きに傾き、横方向の主光線は被投写面に向けて外向きに傾くが、全体としてテレセントリック性は保たれる。逆に、ＦＦＰｙ＜ｐ＜ＦＦＰｘの場合、縦方向の主光線は被投写面に向けて外向きに傾き、横方向の主光線は被投写面に向けて内向きに傾くが、全体としてテレセントリック性は保たれる。
【００１３】
本発明の別の側面によれば、絞りと光変調装置側レンズ群の被投写面側の最端面との距離ｐと、調整光学要素群が光路上から退避した状態の光変調装置側レンズ群における投写面側の焦点と被投写面側の最端面との距離ＦＦＰＬとは、略等しい。この場合、テレセントリック性を実現させるために適した状態とすることができる。
【００１４】
本発明のさらに別の側面によれば、上記投写光学系において、
ＦＦＰｘ＜ＦＦＰｙのとき、ＦＦＰｘ＜ｐ≦（ＦＦＰｙ＋ＦＦＰｘ）／２      （３）
であり、
ＦＦＰｙ＜ＦＦＰｘのとき、ＦＦＰｙ＜ｐ≦（ＦＦＰｙ＋ＦＦＰｘ）／２      （３）'
である。この場合、横方向と縦方向との中間方向におけるテレセントリック性を比較的高くすることができ、テレセントリック性の方向的な偏りを低減することができ、観察方向等に依存してムラの生じにくい明るい画像を投写することができる。
【００１５】
本発明のさらに別の側面によれば、被投写面側から順に、拡大用の第１群と、光路上に択一的に配置される調整光学要素群と回転対称レンズ群とを含む第２群と、正のパワーを持つ第３群とから実質的になる。この場合、光変調素子に近い位置で第２群である調整光学要素群と回転対称レンズ群が入れ替え可能であるため、各像高の光線は比較的像高に近い経路に沿って第２郡を通過するため、光線のコントロールがしやすくなる。このため第２群である調整光学要素群と回転対称レンズ群の入れ替え動作による収差の発生を押させることができる。つまり、第２群を光変調素子に近い位置に置くことで収差の発生を抑えることができる。また、第３群は正のパワーを持つことにより、光変調素子から出射した光の広がりを抑えることができるため、第２群への光の入射角度が小さくなり、第２群での収差の発生を抑えつつ第２群をコンパクトにすることができる。そのため、高精度なレンズ加工が期待でき、性能向上につながるとともに、コストダウンも可能である。
【００１６】
本発明のさらに別の側面によれば、被投写面側から順に、拡大用の第１群と、光路上に択一的に配置される調整光学要素群と回転対称レンズ群とを含む第２群とから実質的になる。この場合、光変調素子に近い位置で第２群である調整光学要素群と回転対称レンズ群が入れ替え可能であるため、各像高の光線は比較的像高に近い経路に沿って第２郡を通過するため、光線のコントロールがしやすくなる。このため第２群である調整光学要素群と回転対称レンズ群の入れ替え動作による収差の発生を押させることができる。つまり、第２群を光変調素子に近い位置に置くことで、第２群をコンパクトにしつつ、収差の発生を抑えることができる。そのため、高精度なレンズ加工が期待でき、性能向上につながるとともに、コストダウンも可能である。
【００１７】
本発明のさらに別の側面によれば、調整光学要素群が、光変調素子の縦方向の断面において、被投写面側から順に、正のパワーを持つ第１の光学要素群と、負のパワーを持つ第２の光学要素群とで構成されている。この場合、被投写面上に投写される画像を縦方向に圧縮又は短縮することができる。
【００１８】
本発明のさらに別の側面によれば、回転対称レンズ群が、調整光学要素群の各光学要素群に対応して、被投写面側から順に、正のパワーを持つ第１の光学要素群と、負のパワーを持つ第２の光学要素群とで構成されている。この場合、回転対称レンズ群と第２群とでパワーの正負が揃っていることで、回転対称レンズ群における各光学要素群のパワーを比較的簡易かつ正確に所望の状態となるように調整できる。
【００１９】
本発明のさらに別の側面によれば、調整光学要素群が、光変調素子の横方向の断面において、被投写面側から順に、負のパワーを持つ第１の光学要素群と、正のパワーを持つ第２の光学要素群とで構成されている。この場合、被投写面上に投写される画像を横方向に伸張又は拡大することができる。
【００２０】
本発明のさらに別の側面によれば、回転対称レンズ群が、調整光学要素群の各光学要素群に対応して、被投写面側から順に、負のパワーを持つ第１の光学要素群と、正のパワーを持つ第２の光学要素群とで構成されている。この場合、回転対称レンズ群と第２群とでパワーの正負が揃っていることで、回転対称レンズ群における各光学要素群のパワーを比較的簡易かつ正確に所望の状態となるように調整できる。
【００２１】
本発明のさらに別の側面によれば、回転対称レンズ群は、調整光学要素群が光変調素子の縦方向の断面において持つパワーと横方向の断面において持つパワーとの間のパワーを持つ。この場合、例えば回転対称レンズ群を、調整光学要素群の縦方向と横方向とのパワーの中間的な状態とすることで、第２動作状態における焦点を第１動作状態における焦点の略中間に位置するものにできる。例えば、ＦＦＰＬの値をＦＦＰｘとＦＦＰｙとの略平均の値とすることができる。
【００２２】
本発明のさらに別の側面によれば、光変調素子側レンズ群の光変調素子側に、光合成用のプリズムが配置されている。この場合、複数の光変調素子に形成された複数色の画像を合成して投写することが可能になる。
【００２３】
本発明に係るプロジェクターは、上述の投写光学系と、光変調素子とを備える。本プロジェクターによれば、光変調素子の画像の横縦比と異なる横縦比の画像を被投写面上に投写することができる。この際、特別な投写光学系により、観察方向等に依存してムラの生じにくい明るい画像を投写することができる。
【図面の簡単な説明】
【００２４】
【図１】第１実施形態に係るプロジェクターの使用状態を説明する斜視図である。
【図２】図１のプロジェクターの概略構成を示す図である。
【図３】（Ａ）は、図１のプロジェクターのうち投写光学系の構造を説明する図であり、（Ｂ）は、第１動作状態における被投写面の表示領域を示す図であり、（Ｃ）は、第２動作状態における被投写面の表示領域を示す図である。
【図４】（Ａ）は、第１動作状態における投写光学系の横断面の構成を示し、（Ｂ）は、第１動作状態における投写光学系の縦断面の構成を示す。
【図５】（Ａ）は、第２動作状態における投写光学系の横断面の構成を示し、（Ｂ）は、第２動作状態における投写光学系の縦断面の構成を示す。
【図６】（Ａ）は、投写光学系の第１動作状態を示し、（Ｂ）は、投写光学系の第２動作状態を示す。
【図７】（Ａ）及び（Ｂ）は、第１動作状態における焦点の位置及び絞りの位置を説明する縦断面及び横断面の図であり、（Ｃ）は、第２動作状態における焦点の位置及び絞りの位置を説明する横断面の図である。
【図８】（Ａ）は、液晶パネルの表示領域上の位置を説明する図であり、（Ｂ）は、液晶パネルの斜め断面における主光線角度と絞りの位置との関係を示す図であり、（Ｃ）は、液晶パネルの縦横断面における主光線角度と絞りの位置との関係を示す図である。
【図９】（Ａ）は、図３（Ａ）等に示す投写光学系の変形例の第１動作状態における横断面の構成を示し、（Ｂ）は、第２動作状態における横断面の構成を示す。
【図１０】第１実施形態の実施例１の光学系の第１動作状態における縦断面について説明する図である。
【図１１】図１０の光学系をワイド端とした場合の縦断面について説明する図である。
【図１２】第１実施形態の実施例１の光学系の第２動作状態における縦断面について説明する図である。
【図１３】図１２の光学系をワイド端とした場合の縦断面について説明する図である。
【図１４】（Ａ）〜（Ｃ）は、実施例１の第１動作状態における光学系ズーミングの動作を説明する図である。
【図１５】（Ａ）〜（Ｃ）は、実施例１の第２動作状態における光学系ズーミングの動作を説明する図である。
【図１６】（Ａ）は、第２実施形態に係るプロジェクターの投写光学系の第１動作状態における横断面の構成を示し、（Ｂ）は、投写光学系の第１動作状態における縦断面の構成を示す。
【図１７】（Ａ）は、第３実施形態に係るプロジェクターの投写光学系の第１動作状態における横断面の構成を示し、（Ｂ）は、投写光学系の第１動作状態における縦断面の構成を示す。
【発明を実施するための形態】
【００２５】
以下に図面を参照して、本発明の実施形態に係るプロジェクター及び投写光学系を詳細に説明する。
【００２６】
〔第１実施形態〕
図１に示すように、本発明の第１実施形態に係るプロジェクター２は、画像信号に応じて画像光ＰＬを形成し、当該画像光ＰＬをスクリーンＳＣ等の被投写面へ向けて投写する。プロジェクター２の投写光学系２０は、プロジェクター２内に内蔵された光変調素子である液晶パネル１８Ｇ（１８Ｒ，１８Ｂ）の画像をスクリーン（被投写面）ＳＣ上に拡大投写する際に、液晶パネル１８Ｇ（１８Ｒ，１８Ｂ）の画像の横縦比（アスペクト比）ＡＲ０に対して、スクリーンＳＣ上に投写される画像の横縦比（アスペクト比）ＡＲ２を異なるものとすることができる。つまり、液晶パネル１８Ｇの表示領域Ａ０の横縦比ＡＲ０と、スクリーンＳＣの表示領域Ａ２の横縦比ＡＲ２とは、異なるものとすることができるが、同一のものとすることもできる。具体的には、液晶パネル１８Ｇの表示領域Ａ０の横縦比ＡＲ０は、例えば１．７８：１であり、スクリーンＳＣの表示領域Ａ２の横縦比ＡＲ２は、例えば１．７８：１、１．８５：１、２．３５：１、２．４：１等とされる。
【００２７】
図２に示すように、プロジェクター２は、画像光を投写する光学系部分５０と、光学系部分５０の動作を制御する回路装置８０とを備える。
【００２８】
光学系部分５０において、光源１０は、例えば超高圧水銀ランプであって、Ｒ光、Ｇ光、及びＢ光を含む光を射出する。ここで、光源１０は、超高圧水銀ランプ以外の放電光源であってもよいし、ＬＥＤやレーザーのような固体光源であってもよい。第１インテグレーターレンズ１１及び第２インテグレーターレンズ１２は、アレイ状に配列された複数のレンズ素子を有する。第１インテグレーターレンズ１１は、光源１０からの光束を複数に分割する。第１インテグレーターレンズ１１の各レンズ素子は、光源１０からの光束を第２インテグレーターレンズ１２のレンズ素子近傍にて集光させる。第２インテグレーターレンズ１２のレンズ素子は、重畳レンズ１４と協働して、第１インテグレーターレンズ１１のレンズ素子の像を液晶パネル１８Ｒ、１８Ｇ、１８Ｂに形成する。このような構成により、光源１０からの光が液晶パネル１８Ｒ、１８Ｇ、１８Ｂの表示領域（図１の表示領域Ａ０）全体を略均一な明るさで照明する。
【００２９】
偏光変換素子１３は、第２インテグレーターレンズ１２からの光を所定の直線偏光に変換させる。重畳レンズ１４は、第１インテグレーターレンズ１１の各レンズ素子の像を、第２インテグレーターレンズ１２を介して液晶パネル１８Ｒ、１８Ｇ、１８Ｂの表示領域上で重畳させる。
【００３０】
第１ダイクロイックミラー１５は、重畳レンズ１４から入射したＲ光を反射させ、Ｇ光及びＢ光を透過させる。第１ダイクロイックミラー１５で反射されたＲ光は、反射ミラー１６及びフィールドレンズ１７Ｒを経て、光変調素子である液晶パネル１８Ｒへ入射する。液晶パネル１８Ｒは、Ｒ光を画像信号に応じて変調することにより、Ｒ色の画像を形成する。
【００３１】
第２ダイクロイックミラー２１は、第１ダイクロイックミラー１５からのＧ光を反射させ、Ｂ光を透過させる。第２ダイクロイックミラー２１で反射されたＧ光は、フィールドレンズ１７Ｇを経て、光変調素子である液晶パネル１８Ｇへ入射する。液晶パネル１８Ｇは、Ｇ光を画像信号に応じて変調することにより、Ｇ色の画像を形成する。第２ダイクロイックミラー２１を透過したＢ光は、リレーレンズ２２、２４、反射ミラー２３、２５、及びフィールドレンズ１７Ｂを経て、光変調素子である液晶パネル１８Ｂへ入射する。液晶パネル１８Ｂは、Ｂ光を画像信号に応じて変調することにより、Ｂ色の画像を形成する。
【００３２】
クロスダイクロイックプリズム１９は、光合成用のプリズムであり、各液晶パネル１８Ｒ、１８Ｇ、１８Ｂで変調された光を合成して画像光とし、投写光学系２０へ進行させる。
【００３３】
投写光学系２０は、各液晶パネル１８Ｇ，１８Ｒ，１８Ｂによって変調されクロスダイクロイックプリズム１９で合成された画像光ＰＬを図１のスクリーンＳＣ上に拡大投写する。この際、投写光学系２０は、スクリーンＳＣ上に投写される画像の横縦比ＡＲ２を、液晶パネル１８Ｇ，１８Ｒ，１８Ｂの画像の横縦比ＡＲ０と異なるものとしたり、この横縦比ＡＲ０と等しいものとすることができる。
【００３４】
回路装置８０は、ビデオ信号等の外部画像信号が入力される画像処理部８１と、画像処理部８１の出力に基づいて光学系部分５０に設けた液晶パネル１８Ｇ，１８Ｒ，１８Ｂを駆動する表示駆動部８２と、投写光学系２０に設けた駆動機構（不図示）を動作させて投写光学系２０の状態を調整するレンズ駆動部８３と、これらの回路部分８１，８２，８３等の動作を統括的に制御する主制御部８８とを備える。
【００３５】
画像処理部８１は、入力された外部画像信号を各色の諧調等を含む画像信号に変換する。画像処理部８１は、投写光学系２０が画像のアスペクト比（縦横比）を変換して投写する第１動作状態である場合、投写光学系２０による横縦比の変換を逆にした画像のアスペクト比変換を予め行ってスクリーンＳＣ上に表示される画像が縦横に伸縮しないようにする。具体的には、投写光学系２０によって例えば１．７８：１から例えば２．４：１となるように横方向に画像の伸張が行われる場合、予め、横方向に０．７４２＝１．７８／２．４倍の画像の圧縮が行われ、或いは、縦方向に１．３５＝２．４／１．７８倍の画像の伸張が行われる。一方、投写光学系２０が画像の横縦比又はアスペクト比を変換しないで投写する第２動作状態である場合、画像処理部８１は、上記のような画像のアスペクト比変換を行わない。なお、画像処理部８１は、外部画像信号に対して歪補正や色補正等の各種画像処理を行うこともできる。
【００３６】
表示駆動部８２は、画像処理部８１から出力された画像信号に基づいて液晶パネル１８Ｇ，１８Ｒ，１８Ｂを動作させることができ、当該画像信号に対応した画像又はこれに画像処理を施したものに対応する画像を液晶パネル１８Ｇ，１８Ｒ，１８Ｂに形成させることができる。
【００３７】
レンズ駆動部８３は、主制御部８８の制御下で動作し、例えば投写光学系２０を構成する絞りを含む一部の光学要素を光軸ＯＡに沿って適宜移動させることにより、投写光学系２０による図１のスクリーンＳＣ上への画像の投写倍率を変化させることができる。また、レンズ駆動部８３は、投写光学系２０を構成する別の一部の光学要素を光軸ＯＡ上すなわち光路上に進退させることにより、図１のスクリーンＳＣ上に投写される画像の横縦比ＡＲ２を変化させることができる。レンズ駆動部８３は、投写光学系２０全体を光軸ＯＡに垂直な上下方向に移動させるアオリの調整により、図１のスクリーンＳＣ上に投写される画像の縦位置を変化させることができる。
【００３８】
以下、図３（Ａ）を参照して、実施形態の投写光学系２０について説明する。投写光学系２０は、レンズ等の複数の光学要素を組み合わせてなる本体部分２０ａと、本体部分２０ａの一部又は全体を移動させることでその結像状態を調整する駆動機構６１，６２，６３，６４とを備える。
【００３９】
本体部分２０ａは、スクリーンＳＣ側から順に、第１群３０と、第２群４５と、第３群６０と、絞り７０とからなる。なお、第２群４５は、調整光学要素群４０と回転対称レンズ群９０（図５（Ｂ）等参照）とで構成され、調整光学要素群４０と回転対称レンズ群９０とは入替可能となっており、図３（Ａ）では調整光学要素群４０が挿入された状態を示している。また、図３（Ｂ）及び３（Ｃ）は、調整光学要素群４０を挿入した第１動作状態と回転対称レンズ群９０を挿入した第２動作状態とでのスクリーンＳＣ（図１参照）における表示領域Ａ２をそれぞれ示している。
【００４０】
第１群３０は、第１レンズ部３１と、第２レンズ部３２とを有する。たとえば、第１レンズ部３１を構成する少なくとも１枚のレンズを光軸ＯＡに沿って手動等により微動させることにより、本体部分２０ａのフォーカス状態を調整することができる。また、第２レンズ部３２は、図４（Ａ）に示すように第１、第２及び第３レンズ群３２ａ，３２ｂ，３２ｃ等で構成され、各レンズ群３２ａ，３２ｂ，３２ｃは、１枚以上のレンズで構成されている。これらのレンズ群３２ａ，３２ｂ，３２ｃ等又はこれらを構成する少なくとも１枚のレンズを、図３（Ａ）のズーム駆動機構６１により光軸ＯＡに沿って移動させることにより、本体部分２０ａによる投写倍率を変更することができる。
【００４１】
第２群４５のうち、調整光学要素群４０は、横方向（Ｘ方向）と縦方向（Ｙ方向）で異なる焦点距離を持ち、結果的に第１群３０も含めた投写光学系２０の全系としても、縦方向と横方向とで異なる焦点距離を持つことになる。すなわち、本体部分２０ａによる縦方向と横方向の拡大倍率も異なるものとなり、液晶パネル１８Ｇ（１８Ｒ，１８Ｂ）に表示された画像の横縦比ＡＲ０とは異なる横縦比ＡＲ２の画像をスクリーンＳＣ上に投写することができる。調整光学要素群４０は、光軸ＯＡに対して回転非対称な面を持つ１つ以上の調整用の光学要素を含み、具体的には、図４（Ｂ）に示す縦方向（Ｙ方向）の断面に関して、スクリーンＳＣ側から順に、正のパワーを持つ第１の光学要素群４１と、負のパワーを持つ第２の光学要素群４２とで構成されている。なお、第１の光学要素群４１と第２の光学要素群４２とは、図４（Ａ）に示す横方向（Ｘ方向）の断面に関して、パワーを有していない。
【００４２】
このように、アナモフィック光学系である調整光学要素群４０を、縦断面に関して、正の屈折力を持つ第１の光学要素群４１と負の屈折力を持つ第２の光学要素群４２との組合せとすることにより、簡易に変倍すなわちズーミングを行なうことができる。
【００４３】
また、投写光学系２０において、図３（Ａ）に示す進退駆動機構である第１アナモフィック駆動機構６２により、調整光学要素群４０に代えて回転対称レンズ群９０を光路に配置し、或いは回転対称レンズ群９０に代えて調整光学要素群４０を光路に配置することにより、スクリーンＳＣ上に投写される画像の横縦比（アスペクト比）を所望のタイミングで切り替えることができる。
【００４４】
図５（Ａ）及び図５（Ｂ）に示す回転対称レンズ群９０は、横方向（Ｘ方向）と縦方向（Ｙ方向）で同一の焦点距離を持つ調整光学要素群であり、結果的に第１群３０も含めた投写光学系２０の全系としても、縦方向と横方向とで同一の焦点距離を持つことになる。すなわち、本体部分２０ａによる縦方向と横方向の拡大倍率も同一のものとなり、液晶パネル１８Ｇ（１８Ｒ，１８Ｂ）に表示された画像の横縦比ＡＲ０と同じ横縦比の画像をスクリーンＳＣ上に投写することができる。回転対称レンズ群９０は、光軸ＯＡに対して回転対称な面を持つ１つ以上の調整用の光学要素を含み、具体的には、図５（Ａ）及び図５（Ｂ）に示すように、スクリーンＳＣ側から順に、正のパワーを持つ第１の光学要素群９１と、負のパワーを持つ第２の光学要素群９２とで構成されている。各光学要素群９１，９２は、それぞれ回転対称であるため、縦方向と横方向とで同一のパワーを持つ。結果として、回転対称レンズ群９０全体としても、縦方向と横方向とで同一のパワーを持つ。また、この場合、回転対称レンズ群９０と調整光学要素群４０とでパワーの正負が揃っていることで、回転対称レンズ群９０における各光学要素群９１，９２のパワーを比較的簡易かつ正確に所望の状態となるように調整できる。
【００４５】
以上のように、投写光学系２０において、調整光学要素群４０を退避させるとともに調整光学要素群４０が光路上に配置されていた箇所に回転対称レンズ群９０を挿入することにより、調整光学要素群４０が光路上にある第１動作状態と回転対称レンズ群９０が光路上にある第２動作状態とに切替が可能になっている。図６（Ａ）に示すように、調整光学要素群４０を光路上に配置した第１動作状態とすることにより、液晶パネル１８Ｇ（１８Ｒ，１８Ｂ）に形成される画像を縦方向に圧縮した横縦比（例えば２．４：１）でスクリーンＳＣ上に画像を投写することができる。一方、図６（Ｂ）に示すように、調整光学要素群４０を光路上から退避させるとともに調整光学要素群４０の配置されていた箇所に回転対称レンズ群９０を挿入した第２動作状態とすることにより、液晶パネル１８Ｇ（１８Ｒ，１８Ｂ）に形成される画像のままの横縦比（例えば１．７８：１）でスクリーンＳＣ上に画像を投写することができる。この場合、図３（Ｂ）に示すように、仮に第２群４５が設置されていないとした場合の表示領域を表示領域ＡＡとすると、調整光学要素群４０を挿入した第１動作状態では、表示領域ＡＡが縦方向に比較的強く圧縮され表示領域ＡＡより横長な形状の表示領域Ａ２が形成される。一方、図３（Ｃ）に示すように、回転対称レンズ群９０を挿入した第２動作状態では、表示領域ＡＡが縦方向及び横方向の双方向ともに比較的弱く圧縮され表示領域ＡＡと相似な形状の表示領域Ａ２が形成される。なお、調整光学要素群４０を構成する第１の光学要素群４１と第２の光学要素群４２とを第２アナモフィック駆動機構６３により光軸ＯＡ方向に移動させることもできる。これらの間隔を調整することにより、スクリーンＳＣ上に投写される画像の横縦比（アスペクト比）を連続的に増減させることができる。
【００４６】
また、図３（Ａ）に示すように、投写光学系２０では、全系駆動機構６４によって本体部分２０ａ全体を光軸ＯＡに垂直な方向に移動させてシフト量を調整することにより、スクリーンＳＣ上に投写される画像の光軸ＯＡからのズレ量を増減させることができる。つまり、本体部分２０ａの光軸ＯＡを液晶パネル１８Ｇの中心軸ＡＸに平行な状態を保ちつつ、本体部分２０ａの光軸ＯＡを液晶パネル１８Ｇの中心軸ＡＸに対して適当なシフト量ＳＦだけ移動させることで、光軸ＯＡから例えば上方向（＋Ｙ方向）に外れた位置に画像を投写することができ、シフト量ＳＦの調整によって画像の投写位置を縦方向に上下移動させることができる。なお、本体部分２０ａの光軸ＯＡの液晶パネル１８Ｇの中心軸ＡＸを基準するズレ量であるシフト量ＳＦは、必ずしも可変とする必要はなく、例えばゼロでない値で固定することもできる。また、全系駆動機構６４により本体部分２０ａ全体を光軸ＯＡに沿った方向に適宜移動させることもできる。
【００４７】
第３群６０は、横方向及び縦方向にパワーを持つ回転対称なレンズを１枚以上含む。第３群６０は、正のパワーを有するため光変調素子から射出した光の広がりを抑えることができる。そのため、第２群４５へ入射する光の角度を抑えることができ、第２群４５で発生する収差を抑えることができる。その結果として第３群６０は全体の収差を抑えることができため、第３群６０は補正光学要素として複数のレンズを有し、それらのレンズ中に正のパワーを有するものとし、必要であれば、非球面のものを含めるものとする。
【００４８】
絞り７０は、例えば第１群３０の第２レンズ部３２を構成するいずれかのレンズに隣接して配置される。図４（Ａ）に示す例では、第２レンズ部３２の第１及び第２レンズ群３２ａ，３２ｂの間に絞り７０を配置している。絞り７０は、第１群３０を通過する光束すなわち画像光を部分的に遮光することで、画像光の状態を調整する機能を有する。具体的には、絞り７０は、第１群３０を通過する光束の断面を光軸ＯＡ上の対応位置で規定のサイズ及び形状とする。これにより、液晶パネル１８Ｇ（１８Ｒ，１８Ｂ）から射出される画像光を規制することで、その主光線の射出角度や方向を調整することができる。また、絞り７０は、ズーム駆動機構６１により、第１動作状態及び第２動作状態のいずれにおいても、第１群３０の第２レンズ部３２のズーム動作に連動して光軸ＯＡに沿って移動する。つまり、ズーム駆動機構６１は、絞り７０を光軸ＯＡに沿って移動させることにより、液晶パネル１８Ｇ（１８Ｒ，１８Ｂ）から射出される画像光の射出状態をズーミングすなわち投写倍率に応じて適切な状態にできる。
【００４９】
以上のズーム駆動機構６１、進退駆動機構である第１アナモフィック駆動機構６２、第２アナモフィック駆動機構６３、及び全系駆動機構６４は、モーター、機械的な伝達機構、センサー等を有しており、図２のレンズ駆動部８３からの駆動信号に応じて動作する。これらの駆動機構６１，６２，６３，６４は、レンズ駆動部８３からの駆動信号によって単独で動作するだけでなく、複合的に動作する。例えば、ズーム駆動機構６１の動作に合わせて全系駆動機構６４を動作させることで、ズーミング時に画像がシフトする現象等を抑制することができる。
【００５０】
ここで、図３（Ａ）等に示す投写光学系２０の機能についてより詳細に説明する。この投写光学系２０の場合、液晶パネル１８Ｇ（１８Ｒ，１８Ｂ）に比較的近い位置で第２群４５中の調整光学要素群４０と回転対称レンズ群９０が入れ替え可能であるため、各像高の光線は比較的像高に近い経路に沿って第２群４５を通過するため、光線のコントロールがしやすくなる。このため第２群４５中の調整光学要素群４０と回転対称レンズ群９０の入れ替え動作による収差の発生を押させることができる。一般的に回転非対称な光学要素の製造は難しく、精度を出すためには調整光学要素群４０の小型化が必須条件である。その点で、調整光学要素群４０が液晶パネル１８Ｇ（１８Ｒ，１８Ｂ）に近いほど光線の広がりが少なく調整光学要素群４０を構成する第１の光学要素群４１と第２の光学要素群４２とを小型にできるので、これらの光学要素群４１，４２に対して高精度なレンズ加工が期待でき、投写光学系２０の性能向上につながるとともに、コストダウンも可能である。さらに、投写光学系２０は、液晶パネル１８Ｇ（１８Ｒ，１８Ｂ）に最も近い第３群６０を有することで、比較的簡単な光学系によって効率的で無理のない収差の補正を可能としている。このような第３群６０の存在によって、さらに著しい性能向上を図ることができる。具体的には、この第３群６０により、第２群４５内での光束の広がりを抑えることができ、第２群４５の径が大きくなるのを防ぐことができる。また、アナモフィック型の調整光学要素群４０を略アフォーカル系にすることにより、調整光学要素群４０の構成レンズの位置精度の要求を低くしつつ精度を確保することができる。
【００５１】
図７（Ａ）及び７（Ｂ）は、第２群４５のうち調整光学要素群４０を光路上に配置する第１動作状態の投写光学系２０における焦点の位置及び絞り７０の配置を説明する図であり、図７（Ｃ）は、第２群４５において調整光学要素群４０を光路上から退避させて回転対称レンズ群９０を挿入した第２動作状態の投写光学系２０における焦点の位置及び絞り７０の配置を説明する図である。ここでは、投写光学系２０のうち、物体側のテレセントリック性に影響する部分として、液晶パネル１８Ｇ（１８Ｒ，１８Ｂ）から絞り７０までの間に配置される光変調素子側レンズ群２０ｂについて考える。図示の場合、光変調素子側レンズ群２０ｂは、第１群３０のうち第２レンズ部３２の第２及び第３レンズ群３２ｂ，３２ｃと、第２群４５すなわち調整光学要素群４０及び回転対称レンズ群９０と、第３群６０とからなる。つまり、絞り７０の物体側に、第１動作状態において、第１群３０中の第３レンズ群３２ｃと、調整光学要素群４０と、第３群６０とが配置されている。また、第２動作状態において、上記のうち調整光学要素群４０に代えて回転対称レンズ群９０が配置されている。また、図７（Ａ）〜７（Ｃ）に示す場合において、第１動作状態と第２動作状態とでは、絞り７０の位置が変化しない又はほとんど変化しないものとする。
【００５２】
まず、図７（Ａ）に示す第１動作状態での光変調素子側レンズ群２０ｂの縦断面すなわちＹＺ断面において、光変調素子側レンズ群２０ｂのスクリーンＳＣ側の焦点ＦＰｙと、光変調素子側レンズ群２０ｂのスクリーンＳＣ側の最端面２０ｆとの距離をＦＦＰｙとする。さらに、図７（Ｂ）に示す第１動作状態での光変調素子側レンズ群２０ｂの横断面すなわちＸＺ断面において、光変調素子側レンズ群２０ｂのスクリーンＳＣ側の焦点ＦＰｘと、光変調素子側レンズ群２０ｂのスクリーンＳＣ側の最端面２０ｆとの距離をＦＦＰｘとする。一方、図７（Ｃ）に示す第２動作状態での光変調素子側レンズ群２０ｂの縦断面すなわちＹＺ断面において、光変調素子側レンズ群２０ｂのスクリーンＳＣ側の焦点ＦＰＬと、光変調素子側レンズ群２０ｂのスクリーンＳＣ側の最端面２０ｆとの距離をＦＦＰＬとする。なお、第２動作状態での横断面すなわちＸＺ断面については、回転対称レンズ群９０が回転対称であり、横断面すなわちＸＺ断面における焦点は縦断面の焦点ＦＰＬと等しいので図示及び説明を省略する。図７（Ａ）〜図７（Ｃ）に示すように、これらの距離ＦＦＰｘ，ＦＦＰｙ，ＦＦＰＬは、
ＦＦＰｘ＜ＦＦＰＬ＜ＦＦＰｙ      （１）
を満たすものとなっている。なお、ＦＦＰｙ＜ＦＦＰｘである場合には、
ＦＦＰｙ＜ＦＦＰＬ＜ＦＦＰｘ      （１）'
となる。つまり、上記条件（１）、（１）'のいずれの場合においても、距離ＦＦＰＬは、距離ＦＦＰｘと距離ＦＦＰｙとの間にある状態となっている。
【００５３】
また、図７（Ａ）及び７（Ｂ）に示す第１動作状態において、絞り７０と光変調素子側レンズ群２０ｂのスクリーンＳＣ側の最端面２０ｆとの距離をｐとする。この場合、距離ｐは、距離ＦＦＰｘと距離ＦＦＰｙとの間に設定されている。つまり、ＦＦＰｘ＜ＦＦＰｙであるとき、距離ｐは、下記条件（２）の範囲内で設定される。
ＦＦＰｘ＜ｐ＜ＦＦＰｙ      （２）
また、ＦＦＰｙ＜ＦＦＰｘであるとき、距離ｐは、下記条件（２）'の範囲内で設定される。
ＦＦＰｙ＜ｐ＜ＦＦＰｘ      （２）'
ここで、図７（Ａ）及び７（Ｂ）に例示する投写光学系２０は、横断面の焦点ＦＰｘの方が縦断面の焦点ＦＰｙよりも最端面２０ｆに近くなってＦＦＰｘ＜ＦＦＰｙとなっており、横方向に相対的に大きな拡大率を有し画像のアスペクト比を増大させるものとなっている。この場合、距離ｐは、条件（２）の範囲内に設定され、下限のＦＦＰｘよりも大きく、上限のＦＦＰｙよりも小さくなる。
【００５４】
以上の条件（２）、（２）'は、画角の方向も考慮して第１動作状態での投写光学系２０のテレセントリック性を良好に保つための絞り７０の配置範囲を規定している。条件（２）、（２）'の範囲内で絞り７０を配置する場合、テレセントリック性を高めて光の利用効率を確保することができるので、プロジェクター２の性能を高めることができる。たとえば、縦に画像を圧縮するタイプの投写光学系２０の場合、一般にＦＦＰｘ＜ＦＦＰｙとなり、光変調素子側レンズ群２０ｂの液晶パネル１８Ｇ（１８Ｒ，１８Ｂ）側の最端面２０ｒまでにかけての光束のうち最大画角に対応する光束が光軸ＯＡに対して平行でなく傾きを有することになる。具体的には、縦断面の周辺画像に対応する主光線ＰＬ１はスクリーンＳＣに向けて内向きに傾き、横断面の周辺画像に対応する主光線ＰＬ２はスクリーンＳＣに向けて外向きに傾く。結果的に、投写光学系２０は、厳密な意味では縦横のいずれにもテレセントリックでなくなるが、縦方向と横方向とに関してバランスよくテレセントリック性を高めたものとなっている。なお、条件（２）の上限を超えてスクリーンＳＣ側に絞り７０を配置すると、横断面及び縦断面の周辺画像に対応する主光線はいずれもスクリーンＳＣに向かって光軸ＯＡから離れる外向きに傾き、投写光学系２０のテレセン性が大きく崩れることになる。逆に、条件（２）の下限を超えてスクリーンＳＣ側に絞り７０を配置すると、横断面及び縦断面の周辺画像に対応する主光線はいずれもスクリーンＳＣに向かって光軸ＯＡに近づく内向きに傾き、投写光学系２０のテレセン性が大きく崩れることになる。
【００５５】
また、図７（Ｃ）に示す第２動作状態の場合においても、絞り７０の位置が第１動作状態から変化せず、かつ、距離ＦＦＰＬが上記条件（１）を満たすので、バランスよくテレセントリック性を高めたものとなっている。
【００５６】
絞り７０のより好ましい配置は、光変調素子側レンズ群２０ｂの縦断面での焦点ＦＰｙと光変調素子側レンズ群２０ｂの横断面での焦点ＦＰｘとの中間位置から、最端面２０ｆ側又は物体側の焦点位置までの範囲内とする。つまり、ＦＦＰｘ＜ＦＦＰｙであるとき、距離ｐは、下記条件（３）の範囲内で設定される。
ＦＦＰｘ＜ｐ≦（ＦＦＰｙ＋ＦＦＰｘ）／２      （３）
また、ＦＦＰｙ＜ＦＦＰｘであるとき、距離ｐは、下記条件（３）'の範囲内で設定される。
ＦＦＰｙ＜ｐ≦（ＦＦＰｙ＋ＦＦＰｘ）／２      （３）'
ここで、図７（Ａ）及び７（Ｂ）に例示する投写光学系２０は、ＦＦＰｘ＜ＦＦＰｙとなっており、横方向に相対的に大きな拡大率を有し画像のアスペクト比を増大させるものとなっている。この場合、距離ｐは、条件（３）の範囲内に設定され、下限のＦＦＰｘよりも大きく、上限の（ＦＦＰｙ＋ＦＦＰｘ）／２よりも小さくなる。これにより、横方向と縦方向との中間方向におけるテレセントリック性を比較的高くすることができ、テレセントリック性の方向的な偏りを低減することができ、観察方向等に依存してムラの生じにくい明るい画像を投写することができる。
【００５７】
次に、図７（Ｃ）に示す距離ＦＦＰＬについて、より詳しく説明する。この場合、距離ＦＦＰＬは、（ＦＦＰｙ＋ＦＦＰｘ）／２と略等しくなるように設定されている。つまり、距離ＦＦＰＬは、
ＦＦＰＬ≒（ＦＦＰｙ＋ＦＦＰｘ）／２      （４）
となるように、回転対称レンズ群９０において各光学要素群９１，９２のパワーが、調整光学要素群４０を構成する第１及び第２の光学要素群４１，４２が縦方向に持つパワーと横方向に持つパワーとの間のパワーを持つように調整されている。具体的には、図７（Ｃ）に示す回転対称レンズ群９０を構成する第１及び第２の光学要素群９１，９２が持つ正及び負のパワーを、図７（Ａ）に示す調整光学要素群４０を構成する第１及び第２の光学要素群４１，４２が持つ正及び負のパワーの半分程度とする。これにより、回転対称レンズ群９０を、図７（Ａ）に示す調整光学要素群４０のパワーがある状態と図７（Ｂ）に示す調整光学要素群４０のパワーがない状態との中間的な状態とすることができ、上式（４）のように、焦点ＦＰＬが焦点ＦＰｘと焦点ＦＰｙとの略中間に位置するものにできる。この場合、距離ＦＦＰＬは、ＦＦＰｙ＜ＦＦＰｘであるとき、上記条件（１）の範囲内で設定されることになる。また、ＦＦＰｙ＜ＦＦＰｘであるとき、距離ＦＦＰＬは、上記条件（１）'の範囲内で設定されることになる。以上の場合、距離ＦＦＰＬは、距離ｐと大きくは異ならない。すなわち、焦点ＦＰＬの位置と絞り７０の位置とは、ある程度近い範囲内にできる。距離ＦＦＰＬは、距離ＦＦＰｘと距離ＦＦＰｙとの間にある状態となっているため、上記条件（２）や（３）の範囲内で設定することで第１動作状態において比較的高いテレセントリック性が保たれている場合、第２動作状態においても、比較的高いテレセントリック性を保たせることができる。また、距離ＦＦＰＬと距離ｐとを略等しくなるように設定することで、第２動作状態において、テレセントリック性の方向的な偏りを低減することができ、テレセントリック性を実現するのに適したものにできる。
【００５８】
以下、図８（Ａ）を参照して、液晶パネル１８Ｇの表示領域Ａ０の座標について考える。ここでは、光軸ＯＡを基準として横のＸ方向に対応するｘ軸と縦のＹ方向に対応するｙ軸とを定めている。縦横で非対称なアナモフィック型レンズ系を備える投写光学系２０において、液晶パネル１８Ｇからの主光線の射出角度を考えるとき、ｘ軸に沿った横軸位置やｙ軸に沿った縦軸位置だけを考えるだけでは足りず、斜め方向の位置を考える必要があることが分かった。つまり、図中に斜めベクトルＶＳで示す方向についても、主光線の射出角度（主光線角度）を考えるものとする。ここで、ｘ軸に沿った横軸位置とこれの点からの主光線角度とは、近似的に略線形であるものとし、ｙ軸に沿った縦軸位置とこれの点からの主光線角度とは、近似的に略線形であるものとする。同様に、ベクトルＶＳに平行な斜め位置Ｅｓとこれの点からの主光線角度とも、略線形であるとして取り扱うことができる。
【００５９】
図８（Ｂ）は、ベクトルＶＳの先端の斜め位置Ｅｓにおける主光線角度を、絞り７０の位置を変化させつつ計算したシミュレーション結果の一例を示している。
【００６０】
チャートからも明らかなように、光変調素子側レンズ群２０ｂの縦断面の焦点ＦＰｙと横断面の焦点ＦＰｘとの間に主光線角度の極小値が存在する。つまり、絞り７０の位置が縦断面の焦点ＦＰｙと横断面の焦点ＦＰｘとの間に設定された場合、主光線角度の増加を全体的に抑え得ることが分かる。換言すれば、光変調素子側レンズ群２０ｂの最端面２０ｆから絞り７０までの距離ｐは、距離ＦＦＰｘと距離ＦＦＰｙとの間に設定されることが望ましい。つまり、距離ｐは、上記条件（２）の範囲内で設定されることが望ましい。
【００６１】
さらに、より細かく観察すると、縦断面の焦点ＦＰｙと横断面の焦点ＦＰｘとの中間位置と、横断面の焦点ＦＰｘとの間に主光線角度の極小値が存在する。つまり、絞り７０の位置が一対の焦点ＦＰｙ，ＦＰｘの中間位置と横断面の焦点ＦＰｘとの間に設定された場合、主光線角度の増加を全体的に抑え得るものと考えられる。換言すれば、光変調素子側レンズ群２０ｂの最端面２０ｆから絞り７０までの距離ｐは、距離ＦＦＰｘと距離ＦＦＰｙとの平均値以下であって距離ＦＦＰｘ以上であることが望ましいと考えられる。つまり、距離ｐは、上記条件（２）の範囲内で設定されることが望ましい。
【００６２】
図８（Ｃ）は、横のｘ軸に沿った位置Ｅｘと縦のｙ軸に沿った位置Ｅｙとにおける主光線角度を、絞り７０の位置を変化させつつ計算したシミュレーション結果の一例を示している。チャートからも明らかなように、横軸位置Ｅｘでは、絞り７０が横断面の焦点ＦＰｘに配置される場合に主光線角度がゼロとなる。一方、縦軸位置Ｅｙでも、絞り７０が縦断面の焦点ＦＰｙに配置される場合に主光線角度がゼロとなる。
【００６３】
以上のように、本実施形態の投写光学系２０の場合、第１動作状態では画角の方向も考慮して、アナモフィック光学系が挿入された第１動作状態とアナモフィック光学系が退避した第２動作状態とのいずれにおいても、物体側で略テレセントリックになっている。すなわち、液晶パネル１８Ｇ（１８Ｒ，１８Ｂ）からの光線が縦断面、横断面、及び斜め断面で光軸ＯＡに平行に近い状態にされている。これにより、液晶パネル１８Ｇ（１８Ｒ，１８Ｂ）と投写光学系２０とを比較的簡易に高精度で組み合わせることができ、組立性が良好なものとなる。さらに、投写光学系２０を光軸ＯＡに垂直な方向に移動させてアオリを利用した投写を行う場合、液晶パネル１８Ｇ（１８Ｒ，１８Ｂ）からの出射光が略テレセントリックな状態で投写光学系２０に取り込まれるならば、周辺光量の確保が容易になり、画質の向上に寄与する。また、略テレセントリックな状態にすることで、３板式の光変調素子を用いる場合、色むらの低減ができるため画質の向上につながる。
【００６４】
また、本実施形態の投写光学系２０の場合、図６（Ｂ）に示すように第２動作状態において、第１群３０と第３群６０とを光路上に固定的に設置して第２群４５のうち調整光学要素群４０を光路上に進退させるとともに、調整光学要素群４０が挿入されていた箇所に回転対称なレンズ群からなる回転対称レンズ群９０を挿入させている。この点が従来のリア配置型のリレー系（特開２００４−０２７４９６号公報参照）を投写系に流用する場合と大きく異なる。すなわち、従来のリア配置型のリレー系では、リア配置型のリレー系を取り外した場合は、おおよそリア配置型のリレー系分だけ、投写光学系が撮像素子に近づくことになる。一方、本実施形態の投写光学系２０の場合は、調整光学要素群４０を取り外して光路外に退避させるとともに回転対称レンズ群９０を挿入させても、第１群３０や第３群６０の位置をほとんど変化させる必要がない。つまり、調整光学要素群４０を光路上に進退させる縦横の倍率切換時に第１群３０や第３群６０を大きく動かす必要がなく、メカ機構の負担を小さくすることができる。なお、従来のリア配置型のリレー系を投写系に流用する場合、リア配置型のリレー系の一部である調整光学要素群４０を光路上に進退させることで縦横の倍率変換を行なえるが、縦横の倍率変換用の２群を光路上に進退させても本体光学系の大きな移動がないようにしている。そして、従来のリア配置型のリレー系は、単独で使用可能な本体光学系に代えて本体光学系のマウントに固定される。このため、従来のリア配置型のリレー系の場合、その光学的な負担が大きくなり、光軸方向に長くなって構成レンズ数が増加するという問題があるが、本実施形態の投写光学系２０によれば、第２群４５の調整光学要素群４０や回転対称レンズ群９０をリレーレンズのように機能させる必要がなく、全長を短くし構成レンズ数を少なくすることが可能になる。また、本実施形態の投写光学系２０の場合、従来のリア配置型のリレー系とは異なり、第１群３０及び第３群６０から独立して調整光学要素群４０及び回転対称レンズ群９０の一部ではなく全体をそれぞれ進退させるので、調整光学要素群４０及び回転対称レンズ群９０の進退又は着脱の際、第１群３０及び第３群６０への偏芯等の影響を少なくでき、さらに機構的にも比較的独立した配置が可能になり、投写光学系２０の組立の際に、第２群４５すなわち調整光学要素群４０や回転対称レンズ群９０をユニットとして別体の第１群３０及び第３群６０間への組付精度を考慮すればよく、組立性向上が望める。
【００６５】
投写光学系２０において、本体部分２０ａの光軸ＯＡを液晶パネル１８Ｇの中心軸ＡＸに平行な状態を保ちつつ適当なシフト量ＳＦだけ移動させた状態とできるので、アオリを利用した投写が可能になり、視聴者と画像光ＰＬとが干渉するのを防ぐのが容易になり、設置性が向上する。投写光学系２０の本体部分２０ａが液晶パネル１８Ｇに対して上記のようにシフトした状態の場合、ズーム駆動機構６１により第２レンズ部３２を動作させて投写倍率を変更するズーミングを行うと、画像光ＰＬのシフト量の絶対量が増加する。よって、ズーミングによるシフト量が増加を全系駆動機構６４の動作によって補正することで、プロジェクター２の操作性・設置性を向上させことができる。この際、主制御部８８の制御下で、ズーム駆動機構６１と全系駆動機構６４とを連動させて動作を自動化することにより、より操作性が向上する。
【００６６】
上記実施形態の投写光学系２０の場合、調整光学要素群４０を構成する光学要素群４１，４２の片面又は両面がシリンドリカルレンズ面である。シリンドリカルレンズは、アナモフィックレンズや自由曲面レンズ等と比べると比較的加工が容易で高精度が期待でき、コストダウンが可能である。また、平面断面側の偏芯感度が低く、組立性が向上し、結果的に、高性能化が期待できる。つまり、調整光学要素群４０をシリンドリカルレンズで構成することで、投写光学系２０の精度を確保しつつコストダウンが可能になる。
【００６７】
調整光学要素群４０を構成する光学要素群４１，４２の片面又は両面は、シリンドリカルレンズ面に限らず、アナモフィックレンズ（例えばトーリック又はトロイダルレンズ）とすることができる。
【００６８】
以上において、調整光学要素群４０を構成するシリンドリカル型又はアナモフィックレンズ型の光学要素群４１，４２の片面又は両面は、横のＸ断面又は縦のＹ断面に関して非球面式、具体的には、以下の多項式ｈで表される形状を持つものとできる。
0005533798.tif 000002
ここで、ｙは光軸ＯＡからの像の高さ（像高）、ｃは基準とする球面の曲率、ｋは円錐定数、Ａ２、Ａ４、Ａ６、Ａ８、Ａ１０、・・・のそれぞれは所定の補正項とする。
【００６９】
さらに、調整光学要素群４０を構成する光学要素群４１，４２の片面又は両面は、自由曲面とすることができる。自由曲面レンズを用いることにより、Ｙ方向及びＸ方向の両断面で曲率をコントロールできるので、非点収差の低減が可能で、高性能化が可能になる。また、非球面とすることにより、各種収差の低減が可能で、高性能化が可能になる。さらに、自由曲面とすることにより、スクリーンＳＣ上又は液晶パネル１８Ｇ（１８Ｒ，１８Ｂ）上のイメージサークル面において、液晶パネル１８Ｇ（１８Ｒ，１８Ｂ）の縦横方向以外の中間の斜め方向の結像状態の最適化も容易になり、高性能化が可能になる。
【００７０】
図９（Ａ）及び９（Ｂ）は、図６（Ａ）及び６（Ｂ）に示す投写光学系２０の変形例を説明する図である。第２群１４５を構成する調整光学要素群１４０は、縦方向（Ｙ方向）と横方向（Ｘ方向）で異なる焦点距離を持っており、結果的に第１群３０も含めた投写光学系２０の全系としても、縦方向と横方向とで異なる焦点距離を持つことになる。この場合、調整光学要素群１４０は、横方向（Ｘ方向）の断面に関して、スクリーンＳＣ側から順に、負のパワーを持つ第１の光学要素群１４１と、正のパワーを持つ第２の光学要素群１４２とで構成されている。図９（Ｂ）に示すように、この調整光学要素群１４０を光路上から退避させて第２群１４５を構成する回転対称レンズ群１９０を挿入させた場合、液晶パネル１８Ｇ（１８Ｒ，１８Ｂ）に形成される画像のままの横縦比（例えば１．７８：１）でスクリーンＳＣ上に画像を投写することができる。また、図９（Ａ）に示すように、調整光学要素群４０を光路上に配置して、液晶パネル１８Ｇ（１８Ｒ，１８Ｂ）に形成される画像を横方向に拡大した横縦比（例えば２．４：１）でスクリーンＳＣ上に画像を投写することができる。さらに、調整光学要素群１４０を構成する第１の光学要素群１４１と第２の光学要素群１４２とを図３（Ａ）の第２アナモフィック駆動機構６３により光軸ＯＡ方向に移動させてこれらの間隔を調整することにより、スクリーンＳＣ上に投写される画像の横縦比（アスペクト比）を連続的に増減させることもできる。この場合、第１動作状態では、横方向に比較的大きく伸張され横長な形状の表示領域Ａ２がスクリーンＳＣに形成される。一方、第２動作状態では、縦方向及び横方向の双方向ともに比較的小さく伸張され元の横縦比を保った形状の表示領域Ａ２が形成される。なお、図９（Ｂ）に示すように、この変形例の場合においても、回転対称レンズ群１９０は、調整光学要素群１４０に対応して、スクリーンＳＣ側から順に、負のパワーを持つ第１の光学要素群１９１と、正のパワーを持つ第２の光学要素群１９２とで構成されている。つまり、正負のパワーを有する回転対称レンズ群１９０を用いることで、第１動作状態と第２動作状態の切替を行うことができる。
【００７１】
以上のように本実施形態の投写光学系２０によれば、光変調素子側レンズ群２０ｂが液晶パネル１８Ｇ（１８Ｒ，１８Ｂ）の縦方向と横方向とで異なるパワーを持つので、投写光学系２０の全系としても、縦横方向に異なる焦点距離を持ち縦横方向の拡大倍率も異なるものとなり、液晶パネル１８Ｇ（１８Ｒ，１８Ｂ）の画像の横縦比とスクリーンＳＣ上に投写される画像の横縦比とを異なるものにできる。つまり、本投写光学系２０により、幅と高さとの比であるアスペクト比の変換が可能になる。この際、絞り７０と光変調素子側レンズ群２０ｂのスクリーンＳＣ側の最端面２０ｆとの距離ｐが調整光学要素群４０を光路上に配置した第１動作状態において上記条件式（２）、（２）'を満たすので、縦方向と横方向との双方で一定以上のテレセントリック性を確保することができる。また、距離ｐが調整光学要素群４０を光路上から退避させるとともに回転対称レンズ群９０を挿入させた第２動作状態において上記条件式（１）、（１）'、（４）を満たすので、第２動作状態においてもテレセントリック性を確保することができる。
【実施例１】
【００７２】
図１０及び１１は、第１実施形態の投写光学系２０の具体的な実施例１を説明する図であり、第１動作状態での投写光学系２０を示すものである。図１０は、比較的拡大率の低い「テレ端」の状態を示し、図１１は、比較的拡大率の高い「ワイド端」の状態を示している。
【００７３】
投写光学系２０は、レンズＬ１〜Ｌ１９からなり、このうちレンズＬ１〜Ｌ１３によって第１群３０が構成され、レンズＬ１４〜Ｌ１７によって調整光学要素群４０が構成され、レンズＬ１８，Ｌ１９によって第３群６０が構成されている。第１群３０に含まれるレンズＬ１〜Ｌ１３は、光軸ＯＡのまわりに回転対称な球面のレンズである。調整光学要素群４０のうち、接合レンズＬ１４，Ｌ１５は、縦のＹ方向に関して正のパワーを有し、横のＸ方向に関してパワーを有しないシリンドリカルレンズとなっている。また、接合レンズＬ１６，Ｌ１７は、縦のＹ方向に関して負のパワーを有し、横のＸ方向に関してパワーを有しないシリンドリカルレンズとなっている。第３群６０に含まれるレンズＬ１８は、負のメニスカスレンズであり、レンズＬ１９は、正のメニスカスレンズである。なお、第１群３０のうち、レンズＬ８，Ｌ９で構成される第１レンズ群３２ａと、レンズＬ１０，Ｌ１１で構成される第２レンズ群３２ｂと、レンズＬ１２，Ｌ１３で構成される第３レンズ群３２ｃとは、投写倍率の変更時すなわちズーミング時に光軸ＯＡに沿って変位する。なお、レンズＬ１８は、非球面レンズである。非球面式について具体的には、上述した多項式ｈで表される形状が同様に適用される。すなわち、
0005533798.tif 000003
に適宜数値を入れることで、形状が特定される。
【００７４】
また、図１２及び１３は、第１実施形態の投写光学系２０の具体的な実施例１を説明する図であり、第２動作状態での投写光学系２０を示すものである。図１２は、比較的拡大率の低い「テレ端」の状態を示し、図１３は、比較的拡大率の高い「ワイド端」の状態を示している。
【００７５】
第２動作状態の場合、図示のように、投写光学系２０は、調整光学要素群４０に代えて回転対称レンズ群９０が挿入された状態となる。ここでは、レンズＬ９１〜Ｌ９４によって回転対称レンズ群９０が構成されている。回転対称レンズ群９０のうち、接合レンズＬ９１，Ｌ９２は、正のパワーを有するレンズとなっており、そのパワーは、接合レンズＬ１４，Ｌ１５（図１０参照）が縦のＹ方向に関して有するパワーの半分程度となっている。また、接合レンズＬ９３，Ｌ９４は、負のパワーを有するレンズとなっており、そのパワーは、接合レンズＬ１６，Ｌ１７（図１０参照）が縦のＹ方向に関して有するパワーの半分程度となっている。
【００７６】
以下の表１及び表２に、実施例１のレンズデータ等を示す。表１は、第１動作状態での投写光学系２０に関するものであり、表２は、第２動作状態での投写光学系２０に関するものである。これらの表１及び表２の上欄において、「面番号」は、像面側から順に各レンズの面に付した番号である。また、「Ｒ」は、Ｙ又はＸ曲率半径を示し、「Ｄ」は、次の面との間のレンズ厚み或いは空気空間を表している。さらに、「Ｎｄ」は、レンズ材料のｄ線における屈折率を示し、「νｄ」は、レンズ材料のｄ線におけるアッベ数を示す。なお、実施例１の場合、レンズＬ１８以外のすべての面が球面又はシリンドリカル面となっている。また、非球面レンズであるレンズＬ１８については、上述した多項式ｈに表１及び表２の下欄の値を適用したものとなる。
【表１】
0005533798.tif 000004
【表２】
0005533798.tif 000005
図１０〜図１３に示すように、第２レンズ部３２に含まれる各レンズ群３２ａ，３２ｂ，３２ｃ及び絞り７０が光軸ＯＡの方向に沿って個別に動くことによって、ズーミングの動作が第１及び第２動作状態においてそれぞれなされる。
【００７７】
図１４（Ａ）〜１４（Ｃ）は、第１動作状態におけるズーミングの動作を説明するものであり、及び図１５（Ａ）〜１５（Ｃ）は、第２動作状態におけるズーミングの動作を説明するものである。図１４（Ａ）は、第１動作状態のうち図１１の状態を示し、拡大率の大きな「ワイド端」の場合を示している。また、図１４（Ｂ）は、「中間」の状態の場合を示し、図１４（Ｃ）は、図１０の状態を示し、拡大率の小さな「テレ端」の場合を示している。同様に、図１５（Ａ）は、第２動作状態の「ワイド端」の場合を示し、図１５（Ｂ）は、「中間」の状態の場合を示し、図１５（Ｃ）は、「テレ端」の場合を示している。図示のように、ズーミングの動作に伴って、絞り７０の位置が変化している。ただし、絞り７０は、縦断面の焦点ＦＰｙと横断面の焦点ＦＰｘとの間であって、縦断面の焦点ＦＰｙと横断面の焦点ＦＰｘとの中間位置よりも物体側すなわち焦点ＦＰｘ側に配置されている。
【００７８】
以下の表３及び表４の上欄に、図１４（Ａ）〜１４（Ｃ）及び図１５（Ａ）〜１５（Ｃ）に示すズーミング動作時の第２レンズ部３２の各レンズ群３２ａ，３２ｂ，３２ｃ及び絞り７０の位置を示している。具体的には、レンズ群３２ａのレンズＬ８の像側面が第１３面になっており、レンズ群３２ｂのレンズＬ１０の像側面が第１６面になっており、レンズ群３２ｃのレンズＬ１２の像側面が第２４面になっている。
【表３】
0005533798.tif 000006
【表４】
0005533798.tif 000007
なお、表３及び表４の中欄は、ズーミング動作時の投写光学系２０のＸ方向及びＹ方向の焦点距離を示している。また、表３及び表４の下欄は、ズーミング動作時の投写光学系２０のＸ方向及びＹ方向の明るさ（Ｆ値）を示している。
【００７９】
〔第２実施形態〕
以下、第２実施形態に係る投写光学系等について説明する。なお、本実施形態は、第１実施形態の投写光学系等の変形例であり、特に説明しない部分又は事項は、第１実施形態の場合と同様である。
【００８０】
図１６（Ａ）及び１６（Ｂ）は、第２実施形態に係る投写光学系２０を説明する図である。投写光学系２０の第２群２４５を構成する調整光学要素群２４０は、縦方向（Ｙ方向）の断面に関して、スクリーンＳＣ側から順に、負のパワーを持つ第１の光学要素群２４１と、正のパワーを持つ第２の光学要素群２４２とで構成されている。この場合、液晶パネル１８Ｇ（１８Ｒ，１８Ｂ）に形成される画像を縦方向に拡大した横縦比でスクリーンＳＣ上に映像を投写することができる。
【００８１】
図１６（Ａ）等に示す投写光学系２０の場合、一般に、縦断面の焦点ＦＰｙの方が横断面の焦点ＦＰｘよりも液晶パネル１８Ｇ（１８Ｒ，１８Ｂ）に近くなってＦＦＰｙ＜ＦＦＰｘとなる。この場合、第２動作状態において、距離ＦＦＰＬは、条件（１）'
ＦＦＰｙ＜ＦＦＰＬ＜ＦＦＰｘ      （１）'
の範囲内に設定され、下限のＦＦＰｙよりも大きく、上限のＦＦＰｘよりも小さくなる。また、距離ｐは、条件（２）'
ＦＦＰｙ＜ｐ＜ＦＦＰｘ      （２）'
の範囲内に設定され、下限のＦＦＰｙよりも大きく、上限のＦＦＰｘよりも小さくなる。以上により、第１動作状態の横方向と縦方向との双方におけるテレセントリック性を高くすることができるとともに、第２動作状態におけるテレセントリック性も高いものとすることができる。
【００８２】
また、図１６（Ａ）等に示す投写光学系２０の場合、距離ｐは、条件（３）'
ＦＦＰｙ＜ｐ≦（ＦＦＰｙ＋ＦＦＰｘ）／２      （３）'
の範囲内に設定され、下限のＦＦＰｙよりも大きく、上限の（ＦＦＰｙ＋ＦＦＰｘ）／２よりも小さくなる。これにより、横方向と縦方向との中間方向におけるテレセントリック性を比較的高くすることができる。
【００８３】
〔第３実施形態〕
以下、第３実施形態に係る投写光学系等について説明する。なお、本実施形態は、第１実施形態の投写光学系等の変形例であり、特に説明しない部分又は事項は、第１実施形態の場合と同様である。
【００８４】
図１７（Ａ）及び１７（Ｂ）は、第３実施形態に係る投写光学系３２０を説明する図である。この投写光学系３２０は、第１群３０と第２群４５とからなり、第１実施形態の投写光学系２０のような第３群６０を有しない。この場合、絞り７０の位置は、光変調素子側レンズ群２０ｂのスクリーンＳＣ側の最端面を基準として、横断面の焦点と縦断面の焦点との間となっており、光変調素子側レンズ群２０ｂのスクリーンＳＣ側の最端面から絞り７０までの距離ｐは、距離ＦＦＰｙと距離ＦＦＰｘとの間となっている。さらに、この投写光学系３２０の場合、絞り７０の位置は、光変調素子側レンズ群２０ｂの縦断面での焦点と横断面の焦点との中間位置から、液晶パネル１８Ｇ（１８Ｒ，１８Ｂ）側の焦点位置までの範囲内とする。
【００８５】
図１７（Ａ）等に示す調整光学要素群４０は、図９（Ａ）等に示す調整光学要素群１４０と同様の構成とすることができる。さらに、図１７（Ａ）等に示す調整光学要素群４０は、図１６（Ａ）等に示す調整光学要素群２４０と同様の構成とすることができる。
【００８６】
第３実施形態に係る投写光学系３２０において、調整光学要素群４０に正のパワーを有するレンズ群を追加することもできる。
【００８７】
この発明は、上記の実施形態に限られるものではなく、その要旨を逸脱しない範囲において種々の態様で実施することが可能である。
【００８８】
上記の実施形態において、ＦＦＰｘ＜ＦＦＰｙのとき、
ＦＦＰｘ＜ｐ≦（ＦＦＰｙ＋ＦＦＰｘ）／２      （３）
とする場合について考察している。一方、距離ＦＦＰＬについて
ＦＦＰＬ≒（ＦＦＰｙ＋ＦＦＰｘ）／２      （４）
とする場合について考察している。例えば、これらを組み合わせた場合、距離ｐが（ＦＦＰｙ＋ＦＦＰｘ）／２以下であるのに対して、距離ＦＦＰＬが（ＦＦＰｙ＋ＦＦＰｘ）／２に略等しいことになることから、距離ｐよりも距離ＦＦＰＬのほうが大きくなることがほとんどであると考えられる。しかし、例えば回転対称レンズ群９０のパワーを適宜調整すること等により、距離ｐと距離ＦＦＰＬとの値を近づけて、第２動作状態において、テレセントリック性の方向的な偏りをより低減することもできる。ただし、実際にはレンズの収差等を考慮する必要があり、その上で可能な限りにおいてｐの値をＦＦＰＬに近づけることになる。
【００８９】
また、調整光学要素群４０を回転非対称型の光学要素群４１，４２のみで構成する必要はなく、調整光学要素群４０中に非対称型の光学要素群を追加することもできる。
【００９０】
また、絞り７０の位置は、ズーム動作に伴って変化するが、例えば図７（Ａ）〜７（Ｃ）に示す第１動作状態と第２動作状態とにおいては変化せず固定的な状態である。しかしながら、ズーム動作に伴う変化することとは別に、各焦点ＦＰｘ，ＦＰｙ，ＦＰＬとの関係から、第１動作状態と第２動作状態とで絞り７０の位置を段階的に切り替えて変化するものとしてよりテレセントリック性を高めるようにしてもよい。例えば駆動機構６１が２つのカム機構を組み合わせた構造を有することで、絞り７０の位置の変化について、ズーム動作に伴う連続的なものと、第１動作状態と第２動作状態との切替に伴う段階的なものとの２種類の動作が可能となる。
【００９１】
液晶パネル１８Ｇ，１８Ｒ，１８Ｂは、透過型に限らず、反射型とすることができる。ここで、「透過型」とは、液晶パネルが変調光を透過させるタイプであることを意味しており、「反射型」とは、液晶パネルが変調光を反射するタイプであることを意味している。
【００９２】
以上のプロジェクター２では、複数の液晶パネル１８Ｇ，１８Ｒ，１８Ｂで形成された各色の画像を合成しているが、単一の光変調素子であるカラー又はモノクロの液晶パネルで形成された画像を投写光学系２０で拡大投写することもできる。この場合、クロスダイクロイックプリズム１９が不要となるので、投写光学系２０の光学設計上の自由度が高まる。
【００９３】
プロジェクターとしては、投写面を観察する方向から画像投写を行う前面投写型のプロジェクターと、投写面を観察する方向とは反対側から画像投写を行う背面投写型のプロジェクターとがあるが、図２等に示すプロジェクターの構成は、いずれにも適用可能である。
【００９４】
液晶パネル１８Ｇ，１８Ｒ，１８Ｂに代えて、マイクロミラーを画素とするデジタル・マイクロミラー・デバイス等を、光変調素子として用いることもできる。
【符号の説明】
【００９５】
２…プロジェクター、  １０…光源、  １５，２１…ダイクロイックミラー、  １７Ｂ，１７Ｇ，１７Ｒ…フィールドレンズ、  １８Ｂ，１８Ｇ，１８Ｇ…液晶パネル、  １９…クロスダイクロイックプリズム、  ２０，３２０…投写光学系、  ２０ａ…本体部分、２０ｂ…光変調素子側レンズ群、２０ｆ…スクリーン側の最端面、  ３０…第１群、  ３１…第１レンズ部、  ３２…第２レンズ部、  ４０，１４０，２４０…調整光学要素群、  ４１，４２，１４１，１４２…光学要素群、  ４５，１４５，２４５…第２群、  ６０…第３群、  ５０…光学系部分、  ６１…ズーム駆動機構、  ６２…第１アナモフィック駆動機構（進退駆動機構）、  ６３…第２アナモフィック駆動機構、  ６４…全系駆動機構、  ７０，１７０ａ，１７０ｂ…絞り、  ８０…回路装置、  ８１…画像処理部、  ８３…レンズ駆動部、  ８８…主制御部、  ９０，１９０…回転対称レンズ群、  ９１，９２，１９１，１９２…光学要素群、  Ａ０…表示領域、  Ａ２…表示領域、  ＡＲ０…横縦比、  ＡＲ２…横縦比、  ＡＸ…中心軸、  Ｌ１-Ｌ１９…レンズ、  ＯＡ…光軸、  ＰＬ…画像光、  ＳＣ…スクリーン
【図１】
0005533798.tif 000008
【図２】
0005533798.tif 000009
【図３】
0005533798.tif 000010
【図４】
0005533798.tif 000011
【図５】
0005533798.tif 000012
【図６】
0005533798.tif 000013
【図７】
0005533798.tif 000014
【図８】
0005533798.tif 000015
【図９】
0005533798.tif 000016
【図１０】
0005533798.tif 000017
【図１１】
0005533798.tif 000018
【図１２】
0005533798.tif 000019
【図１３】
0005533798.tif 000020
【図１４】
0005533798.tif 000021
【図１５】
0005533798.tif 000022
【図１６】
0005533798.tif 000023
【図１７】
0005533798.tif 000024